(57)【要約】      （修正有）【課題】現在、市販されている蚤取り粉は、求めて来て使用して見ると、ボトルを押しても、粉が口の多細孔を諸に塞いで、殆ど粉が噴出しない。そこで、次のような考案をした。【解決手段】注射器のように、片手で以て使用できなくてはならない物なので、注射器のような片手押し空気ポンプにスプリングをセットして自動復帰するようにして、ピストンを片手で以て必要なだけ往復運動させうるようにした片手押し往復空気ポンプの先端に、ポンプ吹き出し口より大きな径の先端に噴出ノズルを設けた、蚤取り粉を適量入れた、先逓細容器を着脱可能に設けた、蚤取り粉片手押し往復散粉器詰め。【選択図】なし【特許請求の範囲】
【請求項１】
猫などのペット用の蚤取り粉用の散粉器において、ポンプは注射器に似た物で、シリンダーとピストンから成り、ピストンはシリンダー内かシリンダー外のピストン棒かにスプリングを嵌設して、ピストンの往復の復がスプリングで以て自動的に復するようにし、その復時に圧縮空気吹き出し口とは反対口から空気を取るような（空気注ぎのような）ピストン構造とし、吹き出し口は蚤取り粉が入って来ないように通気性はある適当な多孔盤で被い、その吹き出し口に、噴出ノズルを設けた蚤取り粉入れ容器を着脱可能に取り付け、その噴出ノズルには粉が一気に詰らないように、多孔盤の詰り防止フィルターを設ける等した、なお、粉入れ容器は、粉を入れて水平にした場合、粉の溜まりがポンプの気流に諸に当らないようにしなくては成らなかろうから、入れた粉が容器の下側に溜まって居れるように、容器はポンプの吹き出し口より径を大きくし、噴出ノズルに向かって逓細になるようにした、散粉器に、蚤取り粉を詰めた、ｏｎｅ−ｈａｎｄｅｄ−ｄｕｓｔｅｒと呼ぶことにする、蚤取り粉片手押し散粉器詰め。
【請求項２】
「請求項１」における「蚤取り粉片手押し散粉器詰め」とは別に、「片手押しポンプ」と「噴出ノズル付き蚤取り粉詰め容器」とをセパレート販売するようにした、特に「噴出ノズル付き蚤取り粉詰め容器」だけを別個に販売するようにした、セパレート型蚤取り粉片手押し散粉器詰め。
【請求項３】
「請求項１」および「請求項２」における「片手押しポンプ」を「電動ファン式ポンプ」とした、蚤取り粉電動散粉器詰め及びセパレート型蚤取り粉電動散粉器詰め。
【発明の詳細な説明】
【発明の詳細な説明】
【９００００００００１】  私と私の家は、もう何十年と近所の与太者の貧乏と無知に付け込む票集めの政治家と商人の犠牲になり続けて来た。私は近郷以外のことは、はっきりとは知らないのであるが、宮沢喜一元総理大臣の電磁波に乗った声によると、日本全国の五分の一の土地の所有者だと言う。  その所為か幼少の折（昭和１０年５月５日生まれ）から、私の言動のみならず思考や知覚も全て電磁波で以て覗かれて居たらしい。生活振りと懐具合を盗覗させるので、日々刻々それを知った与太者達は、隙を見ては窃盗を働くことになる。そこに票集め人や物売り人たちが付け込んで、政治的な難題、主に公共用地の買収に、とは言っても買収費はくれない、与太者達の陰に回った迫害を使うようになった。  家族の留守中の空き巣窃盗と家屋や家財や自動車などの執拗な破壊である。私達家族の動静を一々覗かせて居るので、長い間には、ちょっとの隙をも狙えるマシラと化して仕舞っている。  その上、彼等は、毒薬使いにまで化して居て、食べ置きや醤油や酢など毒を入れられ易い物は、家を明けて帰ってきた場合には安心して食べられない。（公序良俗違反につき、不掲載）  こう言う苦しみを、明治維新以来三代に渡って、被り続けるのも、警察が電磁波の邪魔攻勢に、犯罪現場々々で、いとも簡単に屈伏して仕舞うからである。私は、最近までは、この電磁波は警察が操っているのであろうと思って居た。警察が操るのであれば、余り酷いことはすまいと安心していたのであるが、実際は、総務省の中の情報通信政策局と総合通信基盤局とが、つまり昔の逓信局が操っているらしい。  と言うのは、広島市内の中央部には、終戦までは、陸軍の練兵場があったが、その北側には、逓信局がずらりと在った。今も、逓信病院を中心に、練兵場跡に鎮座している裁判所群や国の官庁群に電磁波を操っているらしい。大多数の集合している軍隊とか警官隊とか大工場とか大オフィスビルとか大学とか高校などの学校には必ずこの電磁波が群がり付いているらしい。従業員や学生の管理をオナーや経営者に代ってこの電磁波操縦者が行なっているらしい。年功と経験を重ねた老練さと学識の備わった管理者や経営者が衆望を担って直接対面的に多数を統御するのではなく、全く誰か判らない部外者が電磁波で以て人的集団を操っているらしい。  広島の原爆では、それは多くの逓信局職員が死亡している。電磁波を操る者達に対する市民の憎しみが如何に強かったかを伺わす。（公序良俗違反につき、不掲載）  このように、全ての分野に亙って、電磁波を使用しては、その反撃に対して、自分たちは歴史的に名の無い者、最高の給与を得ていても陸な食事も摂れない程に貧しいとかと、下層市民に迎合しさえすれば、どんな悪、つまりどんな泥棒でも可能であると、信じ切っているらしい。  泥棒の最大は、全国五分の一を占めると言う私の家の農地の公共用地買収代金を着服することにあるらしい。今日まで、実際のところ、国や県や市などから一銭の代金も貰ったことは無い。そして、もう一つは、アメリカからの武器の購入に際するリペートのようである。田中角栄元総理大臣は、そのリペートを闇送金させて、関税法違反で逮捕されている。その轍を避けさえすれば宜しい訳で、アメリカに親戚を持っている人は、その点強い訳である。どうも、宮沢元首相とか小泉純一郎現首相とかは、その親戚に歴史的に恵まれて居るらしい。そうでない人は、もっぱら土地買収代金の着服に沢山の子分を引き連れて群がることになるらしい。（公序良俗違反につき、不掲載）  そして、今や、その電磁波盗覗機械なくしては、つまり何事に就けても、他人の頭の中を覗き見して、そこから知識と知恵を盗まないと、ことを為すことが出来なく成って仕舞って居るらしい。従って、物事を自分で見聞して、それに対する処置を自力で為せる習慣を身に付けた人が殆ど存在しなくなって仕舞ったらしい。  この電磁波の使用範囲を出来るだけ限定し、それぞれが、つまってもつまらなくても自力で人生を切り開く努力をさせないと、人を従える経済生活上の実力も人に慕われる人徳も身に就かないことになる。今では、この電磁波盗覗機械で以て、譬え他人よりも速く経済上の或いは技術上の新思想を覗き盗んだとしても、それを活用できる能力のある非人は全くと言ってよい程存在しなくなったらしい。また、盗んだ思想の具体化を他人に強制できる支配力のある非人も全く存在しなくなったらしい。このことは、先進国と言われていた国々の権力者（法律や規則や知識や知恵に基づいて、他人を支配し従わせる力。特に国家や政府が法律体系に基づいて国民に持っている強制力）群が極めて小人物化していて、何事にも、先見性ｆｏｒｅｓｉｇｈｔと進取性ｅｎｔｅｒｐｒｉｓｅを発揮できなくなっている。余りにも、幼少の折から、万事に他人を盗み見して来たからである。他人に拘泥し自己を本当に知る時間を放棄して来たからに違いない。終には、何事に就けても、自己に正論を持てず、他人に瞬間的に反発反対するを条件反射（長い期間の自己の精神的行動パターンから身に着いた一定の反射を刺激に会うと無意識に繰り返すように成ること）とするだけとなって、新しい判断や行動を要求されている場合でも、何らそれに応える力は無くなり、泥棒はいけないとか犯罪を起こしてはならないとか、正邪善悪の明確な判断さえ出来なくなり、ただ、自己の社会的地位を追い越して行く人達に対して、実害は全く無いのに、足を引っ張るか或いはポケットマネーを与えてまで邪魔をさせるような自己破壊に陥没して仕舞っている。  その見苦しさを、電磁波で以て全世界に放送していると言うのに、それを知りながらも自己を抑制する精神力が衰弱して仕舞い、ただ、嫉妬的条件反射を繰り返すだけと成っている。まだ、自らを決する力が残っておれば、例えば永平寺のような古刹などに隠棲してみては如何であろうか。  さて、近所のならず者達の生態の一に、私の家に空き巣侵入して窃盗を働くに加えて蚤や蚊や蜘蛛や蛞蝓などの害虫やその卵を撒いて、人間や家畜を危害し、慌てさせては、殺虫剤を購入させる商売をしている者がいる。数十年も被害に会いながら、今以て、誰が真犯人なのか判らない。キリアキと呼ばれている人たちの中に居るように思われはする。  広島には、フマキラーと言う殺虫剤メーカーが在るので、関係を訪ねて見た所、キンチョーに尋ねてくれと言うことであった。現在、（公序良俗違反につき、不掲載）には、殺虫スプレーが山積みされいる。しかし、スーパーやコンビニでは、今夏はそう言う売出しは行って居ないよ��である。  ４匹の母猫が９匹の子猫を産んでいる。相当大きくなっている所に、この前から蚤を仕掛けられて、子猫が苦しむので、（公序良俗違反につき、不掲載）の「シャレピン蚤取り粉」を振り掛けてやった。しかし、残りが少なかったので、一押しのブローｂｌｏｗで大量に出過ぎてどうも拙い。そこで、（公序良俗違反につき、不掲載）で新しいのを求めて来た。今度は詰っている量が多くて、幾ら押しても上手くブローしない。  これは大変だ、猫が蚤もぐれになった場合の救急に役立たない。そこで、終戦後１０年間くらいＤＤＴやＢＨＣの散布に使用していた手押し空気注ぎ式のダスターｄｕｓｔｅｒを参考にして、注射器のように片手で取扱できるダスターを考案したのが、「特許請求の範囲」における本発明である。  私や私の家族や一族同胞が、今日、不良政治家とその与太者傭兵にもぐれ付かれて、民権政治体制以来、それは訳無く苦しい毎日をもう１３０年間送っているのであるが、この度も又、子猫のシロが近所の悪党に何１０匹と蚤をもぐれ付かされて、元気を喪失して仕舞った。上述のように、蚤取り粉をブローしてやろうとしたのであるが、容器が使用に耐える物では無く物に成らないので、フマキラーをスプレーしてやった。このスプレーでは、ダスタトのように蚤が浮き出すのでは無く、皮膚に食い込んでしまうので、速効性が相当落ちる。スプレーは、食い込む対象の無い蚊や蝿のような物にしか向かない。  私は、農薬に詳しい訳では無いが、昔から、ダスタトとスプレーがある。今日、その使用上の本質を解説した物が無い。この所をメーカーはしっかり弁えて製造し、使用者に対してちゃんとした使用上の解説啓蒙を行うべきであろう。  なお、私は、前にも書いたが、商人が物を売り付けたい場合には、その為の何か犯罪的な促販政策を弄するのでは有るまいか。殺虫スプレー業者が、斯かる初夏、殺虫剤を促販する為に、各家庭に蚤や蚊や蝿の卵や蛆や幼虫を撒いて回る悪党を地域々々に抱えているらしいのである。これは、戦前・戦中にも見られて居た。（公序良俗違反につき、不掲載）  下層階級出身者は、どうしても、公共や個人から泥棒を働かなくては、知的にも物質的にも、地位が要求する水準に到達しないと言う宿命を背負っているので、そこに統治者としての限界があることを、日本の政府を初めとする政治家が図らずも世界の国民に広く深刻に周知させることになった。世界の政界と経済界は、財力と知力を歴史的に蓄積している人々に否応無しに傾斜・交代が進むに違いない。そう言う蓄積は、農地の所有者にしか無いのでは無いかと言うことも広く正確に認識されて来ている。人類は、本当は農地の子なのであった。